(57)【要約】  【課題】  操作部に対する操作パターンに応じて処理を制御することにより，少ない操作部でより多種の処理の切り替えを可能とするとともに，操作に対する反応を状態に応じて極力早く示すことができること。  【解決手段】  各操作キーについて，ＯＮ操作，ＯＮ→ＯＦＦ操作，特殊操作（長押し操作や同時押し操作等）の各種操作パターンに応じて処理を制御する（Ｓ５，Ｓ１５，Ｓ１７）。ここで，特殊操作を受け付けない状態（Ｓ３のＮ側）においては，ＯＮ操作の検知に応じて（ＯＮ→ＯＦＦ変化を待たずに）対応する処理を実行する（Ｓ４）。特殊操作を受け付ける状態（Ｓ３のＹ側）においては，特殊操作（長押し操作）の検知と，特殊操作が検知される前のＯＮ→ＯＦＦ操作の検知との各々に応じて，各操作検知に対応する処理を実行する（Ｓ１４，Ｓ１６）。さらに，特殊操作と通常操作（ＯＮ操作，ＯＮ→ＯＦＦ操作）とで，操作検知時の報知音を変える。【選択図】図３
2006288798.tif 000002
【特許請求の範囲】
【請求項１】
１又は複数の操作部を備え，該操作部に対する操作に応じて実行する処理を制御する洗濯機であって，
前記操作部のうち操作がなされた一の対象操作部について，操作中であることを表す操作ＯＮ状態となった際にこれを検知するＯＮ操作検知手段と，
前記一の対象操作部について，前記操作ＯＮ状態から非操作中であることを表す操作ＯＦＦ状態へ変化する前に所定の特殊操作がなされた際にこれを検知する特殊操作検知手段と，
前記一の対象操作部について，前記特殊操作検知手段により前記特殊操作が検知されずに前記操作ＯＮ状態から前記操作ＯＦＦ状態へ変化した際にこれを検知するＯＮ・ＯＦＦ操作検知手段と，
前記一の対象操作部について，前記特殊操作を受け付けない第１の状態であるかそれを受け付ける第２の状態であるかを判別する状態判別手段と，
前記状態判別手段により前記第１の状態であると判別された場合に，前記ＯＮ操作検知手段により操作が検知された際に前記一の対象操作部が操作ＯＦＦ状態へ変化するのを待たずにこれに対応する第１の処理を実行させる第１状態処理制御手段と，
前記状態判別手段により前記第２の状態であると判別された場合に，前記ＯＮ・ＯＦＦ操作検知手段により操作が検知された際にこれに対応する第２の処理を実行させる一方，前記特殊操作検知手段により操作が検知された際に前記一の対象操作部が操作ＯＦＦ状態へ変化するのを待たずにこれに対応する第３の処理を実行させる第２状態処理制御手段と，
を具備してなることを特徴とする洗濯機。
【請求項２】
前記特殊操作検知手段が，前記一の対象操作部について操作ＯＮ状態のまま所定の長操作設定時間が経過した際に前記特殊操作がなされたと検知する長操作検知手段を具備してなる請求項１に記載の洗濯機。
【請求項３】
前記長操作検知手段における前記長操作設定時間を所定の操作入力に従って設定可能とする長操作時間設定手段を具備してなる請求項２に記載の洗濯機。
【請求項４】
前記長操作時間設定手段が，前記長操作検知手段における前記設定時間を所定の下限時間以上の範囲に制限しつつ設定可能とするものである請求項３に記載の洗濯機。
【請求項５】
前記特殊操作検知手段が，前記一の対象操作部とこれに対応して予め定められた他の一又は複数の操作部とについて同時に操作ＯＮ状態が生じた際に前記特殊操作がなされたと検知する同時操作検知手段を具備してなる請求項１〜４のいずれかに記載の洗濯機。
【請求項６】
前記特殊操作検知手段により操作が検知された際と，前記ＯＮ操作検知手段及び前記ＯＮ・ＯＦＦ操作検知手段により操作が検知された際とで，所定の報知音出力手段を通じて異なる報知音を出力させる若しくはそのいずれか一方が検知された際にのみ前記報知音出力手段を通じて報知音を出力させる報知音制御手段を具備してなる請求項１〜５のいずれかに記載の洗濯機。
【発明の詳細な説明】
【技術分野】
【０００１】
本発明は，操作部に対する操作パターンに応じて実行する処理を制御する洗濯機に関するものである。
【背景技術】
【０００２】
いわゆる全自動洗濯機は，洗濯処理の手順（洗濯コース）の設定操作や，その洗濯コースの実行を開始させる開始操作，設定された洗濯コースを自動的に実行する際の予約時刻の設定操作，或いはその予約時刻を管理するために設けられた現在時刻の計時手段に対する時刻設定（調節）操作等，各種操作を受け付ける操作部（操作キーやタッパネル等）を備え，その操作内容に応じて当該洗濯機が備える各機器の動作（処理）が制御される。
ここで，多機能化された洗濯機においては，限られた数の操作部についてその操作パターンを検知し，同じ操作部が操作された場合であってもその操作パターンが通常の操作パターンであるか特殊な操作パターンであるかに応じて異なる処理を実行する（処理を切り替える）ものが多い。
例えば，特許文献１〜３等には，所定の操作部について所定時間以上継続操作されるいわゆる長押し操作（特殊な操作パターンの一例）がなされたか，それより短い時間の通常操作がなされたかによって異なる処理を行わせる洗濯機について示されている。
これらの洗濯機では，操作部（操作キー）ごとに，その操作パターンと操作パターンごとの処理とが予め対応付けられている。
【特許文献１】特開２００４−２７５２８２号公報
【特許文献２】特開２００２−１３６７８９号公報
【特許文献３】特開２００１−２７６４８７号公報
【発明の開示】
【発明が解決しようとする課題】
【０００３】
しかしながら，各操作部について，長押し操作等の特殊操作と通常操作とのいずれであるかその操作パターンを区別して検知する場合，必然的に，操作部が操作ＯＮ状態から操作ＯＦＦ状態に変化した際にこれを通常操作として検知することになるため，利用者による操作部の操作方法によっては通常操作の検知タイミングが遅くなるという問題点があった。
特に，ある操作部について，長押し操作がなされてもそれに対応付けられた処理が存在しない状況下で，利用者がそれを知らずに長押し操作を行った場合，長押し状態でいつまでたっても反応がなく利用者に不審を抱かせるという問題点があった。
従って，本発明は上記事情に鑑みてなされたものであり，その目的とするところは，操作部に対する操作パターンに応じて処理を制御することにより，少ない操作部でより多種の処理の切り替えを可能とするとともに，操作に対する反応を状態に応じて極力早く示すことができる洗濯機を提供することにある。
【課題を解決するための手段】
【０００４】
上記目的を達成するために本発明は，１又は複数の操作部に対する操作に応じて実行する処理を制御する洗濯機に適用されるものであり，以下の処理を実行するものである。
即ち，前記操作部のうち操作がなされた一の対象操作部について，操作中であることを表す操作ＯＮ状態となった際に（ＯＦＦ→ＯＮ）これを検知する処理（以下，ＯＮ操作検知という）と，その操作ＯＮ状態から非操作中であることを表す操作ＯＦＦ状態へ変化する前に所定の特殊操作がなされた際にこれを検知する処理（以下，特殊操作検知という）と，その特殊操作検知により前記特殊操作が検知されずに前記操作ＯＮ状態から前記操作ＯＦＦ状態へ変化（ＯＮ→ＯＦＦ）した際にこれを検知する処理（ＯＮ・ＯＦＦ操作検知とを行い，さらに，前記一の対象操作部について，前記特殊操作を受け付けない第１の状態であるかそれを受け付ける第２の状態であるかを判別する。
さらに，前記第１の状態であると判別された場合には，前記ＯＮ操作検知により操作が検知された際に前記一の対象操作部が前記操作ＯＦＦ状態へ変化するのを待たずにこれに対応する第１の処理を実行させる。これに対し，前記第２の状態であると判別された場合には，前記ＯＮ・ＯＦＦ操作検知により操作が検知された際にこれに対応する第２の処理を実行させる一方，前記特殊操作検知により操作が検知された際に前記一の対象操作部が操作ＯＦＦ状態へ変化するのを待たずにこれに対応する第３の処理を実行させる。
ここで，前記特殊操作検知としては，例えば，前記一の対象操作部について操作ＯＮ状態のまま所定の設定時間（以下，長操作設定時間という）が経過した際に前記特殊操作がなされたと検知すること（いわゆる長押し操作の検知）や，前記一の対象操作部とこれに対応して予め定められた他の一又は複数の操作部とについて同時に操作ＯＮ状態が生じた際に前記特殊操作がなされたと検知すること等が考えられる。
このように，各操作部について，ＯＮ操作，ＯＮ→ＯＦＦ操作，特殊操作（長押し操作や同時押し操作等）の各種操作パターンに応じて処理を制御することにより，少ない操作部でより多種の処理の切り替えが可能となる。さらに，特殊操作を受け付けない状態（前記第１の状態）においては，ＯＮ操作の検知に応じて（ＯＮ→ＯＦＦ変化を待たずに）対応する処理が実行されるので，操作に対する反応（前記第１の処理）を状態に応じて極力早く示すことができる。
【０００５】
また，いわゆる長押し操作検知における前記長操作設定時間を，所定の操作入力に従って設定可能とすれば，利用者の操作感覚の許容範囲内で極力早い反応を示す時間（短い時間）の設定が可能となる。その際，その長操作設定時間を所定の下限時間以上の範囲に制限しつつ設定可能とすればなお好適である。これにより，前記長操作設定時間が，操作部の操作状況の変化を判別可能な最小周期以下に設定されたり，操作部が比較的短い時間（例えば，０．２〜０．５秒程度）継続操作されて初めて前記操作ＯＮ状態を検知するような場合に，ＯＮ操作と特殊操作との識別が難しくなるほど短い時間に設定されるような不都合を防止できる。
また，前記特殊操作検知により操作が検知された際と，前記ＯＮ操作検知及び前記ＯＮ・ＯＦＦ操作検知により操作が検知された際とで，所定の報知音出力手段を通じて異なる報知音を出力させるか，或いはそのいずれか一方が検知された際にのみ前記報知音出力手段を通じて報知音を出力させるよう制御すれば，利用者は特殊操作として検知されたのか通常操作ととして検知されたのかを容易に識別できる。
【発明の効果】
【０００６】
本発明によれば，各操作部について，ＯＮ操作，ＯＮ→ＯＦＦ操作，特殊操作（長押し操作や同時押し操作等）の各種操作パターンに応じて処理を制御することにより，通常操作と特殊操作とを区別するだけの場合に比べ，少ない操作部でより多種の処理の切り替えが可能となる。さらに，特殊操作を受け付けない状態（前記第１の状態）においては，ＯＮ操作の検知に応じて（ＯＮ→ＯＦＦ変化を待たずに）対応する処理が実行されるので，操作に対する反応（前記第１の処理）を状態に応じて極力早く示すことができる。その結果，特殊操作に対応する処理が存在しない状況下で，利用者がそれを知らずに特殊操作を行った場合でも，いつまでたっても反応がなく利用者に不審を抱かせるという事態を回避できる。
特に，全自動洗濯機においては，ごく限られたスペースに表示部とともに操作部が設けられ，多様な運転コースの選択や設定を可能とする一方，その利用者は複雑な機器の操作に慣れていないことが多いため，本発明の適用が有効である。
さらに，特殊操作と通常操作（ＯＮ操作，ＯＮ→ＯＦＦ操作）とで，操作検知時の報知音を変える，或いはそのいずれか一方の検知時にのみ報知音を出力させるよう制御すれば，操作が特殊操作として検知されたのか通常操作として検知されたのかを容易に識別できる。その結果，利用者に安心感，納得感を与えることができ，ユーザフレンドリーな操作環境を提供できる。
【発明を実施するための最良の形態】
【０００７】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施形態に係る洗濯機Ｘの主要部の概略構成を表すブロック図，図２は洗濯機Ｘの表示操作部の一例を表す外観図，図３は洗濯機Ｘにおける表示処理の手順を表すフローチャートである。
【０００８】
まず，図１に示すブロック図を用いて，本発明の実施形態に係る洗濯機Ｘの概略構成について説明する。
洗濯機Ｘは，操作がなされた一の操作キー（操作部）について，ＯＮ操作，ＯＮ→ＯＦＦ操作，特殊操作（長押し操作や同時押し操作等）の各種操作パターンに応じて実行する処理を区別して制御し，さらに，特殊操作を受け付けない状態においては，ＯＮ操作の検知に応じて（ＯＮ→ＯＦＦ変化を待たずに）対応する処理を実行することを特徴とするものである。
図１に示すように，洗濯機Ｘは，モータ等の各種負荷１１〜１５，当該洗濯機の各種の状態を検知する各種センサ３１，当該洗濯機Ｘの各種運転内容を表示するとともに，利用者からの操作入力を受け付ける表示操作部４０，利用者に洗濯や乾燥の運転コースが終了したことや操作入力を受け付けた（検知した）こと，或いは異常が発生したこと等を音響報知するブザー３２，及び本洗濯機Ｘが備える各機器を制御する制御回路６０等を具備している。
前記負荷には，洗濯水が貯留される水槽の内部に設けられた回転槽を回転駆動するモータ１１，その水槽への給水及びその停止を切り替える給水弁１２，その水槽内の洗濯水を装置外部へ排出させる排水ポンプ１３，乾燥運転時に前記水槽内の回転槽（この場合は乾燥室として機能）に空気の送風とその空気の加熱とを行う送風機及びヒータ１４，前記水槽への被洗濯物の投入口に設けられた開閉扉を閉じた状態でロックする扉ロック機構１５等がある。
【０００９】
前記制御回路６０は，マイクロコンピュータ（以下，マイコン）５０及び各種周辺回路６１〜６８を備え，前記マイコン５０は，ＣＰＵ５１，ＲＡＭ５２，ＲＯＭ５３，時計回路５４及び複数のＩ／Ｏポート５５等を備えている。
前記マイコン５０は，電源端子Ｖｄｄ，Ｖｓｓに電源回路６７から定電圧が印加されることにより作動し，ＲＥＳＥＴ端子にリセット回路６８からリセット信号が入力されるとリセットされる。
前記時計回路５４は，時刻の計時を行い現在の計時時刻を前記ＣＰＵ５１に伝送する（時刻計時手段の一例）。
前記ＣＰＵ５１は，前記ＲＯＭ５３に予め記憶されているプログラムや設定データをバス５６を通じて読み出し，それを前記ＲＡＭ５２に展開した上でプログラムを実行することにより各種の演算及び制御を行う。
前記ＣＰＵ５１から出力される各種制御指令は，前記バス５６及び前記Ｉ／Ｏポート５５を通じて前記周辺回路６２，６５，６６に伝送され，これら周辺回路６２，６５，６６によって制御対象機器に応じた制御信号に変換され，制御対象機器４０，３２，１１〜１５各々が制御される。
また，前記表示操作部４０からの操作入力や各種センサ３１の状態は，各々キー入力回路６１や状態検知回路６４により検知され，その検知信号が前記Ｉ／Ｏポート５５及び前記バス５５を通じて前記ＣＰＵ１に伝送される。
以下，前記ＣＰＵ５１と前記周辺回路６１〜６６との間の信号伝送について，それが前記バス５６及び前記Ｉ／Ｏポート５５を通じて行われる旨の記載は省略する。
【００１０】
前記表示操作部４０は，例えば図２（ａ）〜（ｃ）に示すような外観を有し，複数の操作キー４１（操作部の一例）と数値を表示する７セグメントＬＥＤ等が配列された表示部４２とを備え，それら操作キー４１に対する操作入力を受け付けるとともに，現在時刻や選択されたコースの実行状態等を表示部４２に表示するものである。
前記操作キー４１には，電源の入／切キー４１ａ，運転のスタート・一時停止キー４１ｂ，予約キー４１ｅ，洗濯に関する動作内容（動作時間や動作回数等）を設定変更する設定変更キー４１ｆ，４１ｇ，４１ｈ，４１ｉ，コース選択キー４１ｊ，工程選択キー４１ｋ等がある。
図２に示す例では，前記設定変更キーとして，洗い工程，すすぎ工程，脱水工程及び乾燥工程各々の実行時間設定用の洗いキー４１ｆ，すすぎキー４１ｇ，脱水キー４１ｈ及び乾燥キー４１ｉが設けられている。
また，前記工程選択キー４１ｋは，実行する工程（洗い工程〜乾燥工程）の組み合わせ（以下，実行工程という）の選択（設定）を行う操作キーであり，前記コース選択キー４１ｊは，前記工程選択キー４１ｋにより選択された実行工程ごとに，各工程の動作時間の組み合わせの選択を行う操作キーである。以下，前記工程選択キー４１ｋと前記コース選択キー４１ｊとにより選択される，前記実行工程と各工程の動作時間との組み合わせを運転コースという。
前記表示部４２の７セグメントＬＥＤは，現在時刻や予め設定された実行工程及び運転コース終了の予約時刻の表示や，設定された運転コースを構成する洗濯に関する各工程（洗い工程，すすぎ工程，脱水工程，乾燥工程）の動作時間（分）や動作回数（動作内容）の表示，各種の異常が発生した場合のエラー表示，その他の設定情報の表示等に兼用される。
【００１１】
前記表示操作部４０に対する操作入力は，前記制御回路６０が備えるキー入力回路６１により検知され，検知結果である操作入力信号が前記ＣＰＵ５１に伝送される。また，前記ＣＰＵ５１からは，所定の表示指令や各負荷への動作指令が出力され，その表示指令及び動作指令各々は，表示駆動回路６２及び負荷駆動回路６６に伝送され，表示駆動回路６２が前記ＣＰＵ５１からの表示情報に従って前記表示操作部４０に表示信号を出力する一方，負荷駆動回路６６が各負荷１１〜１５に制御信号を出力する。
例えば，前記表示操作部４０から所定の運転コースを開始させる操作入力がなされた場合，その操作入力が前記キー入力回路６１によって検知され，その検知信号が前記ＣＰＵ５１に伝送される。
前記ＣＰＵ５１は，その選択された運転コースに従って，前記モータ１１，前記排水ポンプ１３，前記送風機やヒータ１４の作動／停止，前記給水弁１２の開／閉，前記扉ロック機構１５のロック／ロック解除に関する制御指令を随時出力し，その制御指令が前記表示駆動回路６２及び前記負荷駆動回路６６に伝送される。
そして，その制御指令に応じて，前記負荷駆動回路６６により各負荷１１〜１５の動作が制御され，また，その動作状態が表示されるよう前記表示駆動回路６２により前記表示操作部４０の表示状態が制御される。
その際，前記ＣＰＵ５１は，選択された運転コースに応じた前記モータ１１や前記給水弁１２等の作動時間を，前記時計回路５４の計時結果に基づいて制御する。
また，選択された運転コースに応じた処理が終了すると，前記ＣＰＵ１から処理終了を表すブザー報知指令が出力され，その指令がブザー駆動回路６５に伝送され，そのブザー駆動回路６５により所定のブザー駆動信号が前記ブザー３２に出力される。これにより，前記ブザー３２から，運転コース終了を表す旨の音響報知がなされる。
【００１２】
前記扉ロック機構１５は，洗濯やすすぎ，或いは乾燥等の運転が開始される前に，被洗濯物投入口の扉が閉じられた状態でソレノイド等の電動アクチュエータによりロックするものである。
また，前記操作表示部４０を通じた操作入力により設定された設定情報（洗い時間やすすぎ回数等）は，前記ＣＰＵ５１により，前記バス５６及び前記Ｉ／Ｏポート５５を通じて不揮発性メモリ６３に書き込まれて記憶されるとともに，必要に応じてその逆の伝送経路で前記ＣＰＵ５１により読み出される。
前記各種センサ３１としては，例えば，被洗濯物の投入口の扉が閉状態（閉位置）にあるか否かを検知するスイッチ，前記扉ロック機構１５がロック状態（ソレノイド等のアクチュエータがロック側の位置に変位している状態）にあるか否かを検知するスイッチ等，各種の状態を検知するセンサである。
【００１３】
次に，図３に示すフローチャートを用いて，洗濯機Ｘにおける操作入力検知処理の手順について説明する。以下，Ｓ１，Ｓ２，…は，処理手順（ステップ）の識別符号を表し，各処理は，前記マイクロコンピュータ５０（以下，マイコン５０という）において，前記ＣＰＵ５１が前記ＲＯＭ５３に予め記憶された所定の制御プログラムを実行することにより行われる。また，以下の処理は，前記電源の入／切キー４１ａに対する入力操作（ＯＮ操作）が検知され，当該洗濯機Ｘが備える前記表示部４２や前記負荷駆動回路６６等の各機器への通電が行われた時点から開始される。
まず，前記マイコン５０により，キー割当情報の初期設定（Ｓ１）が行われた後，前記操作キー４１のいずれかの操作キーについて，操作ＯＮ状態が検知されたか否かが監視される（Ｓ２）。
ここで，前記キー割当情報とは，前記操作キー４１の各操作キーごとに，ＯＮ操作が検知されたときに実行すべき処理，特殊操作が検知されたときに実行すべき処理，及びＯＮ→ＯＦＦ操作が検知されたときに実行すべき処理の各々が対応付けられた情報である。ここで，前記キー割当情報において，検知された操作に対応付けられた処理が存在しなければ，その操作は，その時点の状態（その時点で採用されている前記キー割当情報に対応した状態）においては受け付けられないものであることを表す。このキー割当情報は，予め，前記ＲＯＭ５３等に記憶されたその複数種類の候補の中から，随時（前記操作キー４１に対する操作に応じて），そのときの状態に適合したものが前記マイコン５０により選択（採用）される。
【００１４】
また，前記ＯＮ操作とは，前記操作キー４１のうち，操作がなされた一の対象キー（対象操作部の一例）について，操作ＯＦＦ状態（操作がなされていない状態）から操作ＯＮ状態（操作中の状態）へ変化させる操作である。ここで，前記操作ＯＮ状態は，例えば，非操作状態（ＯＦＦ状態）から操作状態（ＯＮ）状態に変化し，その操作状態（操作中）のままで予め定められた比較的短い設定時間（例えば，０．２秒〜０．５秒程度，以下，短押し設定時間という）が経過したこと等を表す。前記短短押し設定時間の継続をもって前記操作ＯＮ状態を検知するのは，いわゆるチャタリング現象によりごく短時間に複数回の連続操作があったと誤検知すること等を防止するためであり，いわゆる長押し操作のように，利用者に一定時間以上の継続操作をさせることを目的とするものではない。
また，前記特殊操作は，前記対象キーについて，前記操作ＯＮ状態からそのキーが操作されていない状態である操作ＯＦＦ状態へ変化する前に検知される所定の特殊な操作である。ここでは，前記対象キーについて，前記操作ＯＮ状態のまま，前記短押し設定時間よりも十分に長い所定の設定時間（例えば，１秒から数秒程度，以下，長押し設定時間という（長操作設定時間の一例））が経過したことを表すいわゆる長押し操作であるとする。
また，ＯＮ→ＯＦＦ操作とは，前記対象キーについて，前記特殊操作が検知されずに前記操作ＯＮ状態から前記操作ＯＦＦ状態へ変化したことを表す。
これら，ＯＮ操作，特殊操作及びＯＮ→ＯＦＦ操作は，前記キー入力回路６１の検知信号に基づいて前記マイコン５０により検知される（ＯＮ操作検知手段，特殊操作検知手段及びＯＮ・ＯＦＦ操作検知手段の一例）。
【００１５】
そして，ステップＳ２における監視中に，いずれかの操作キーについて前記操作ＯＮ状態が検知されると，前記マイコン５０により，その操作キー（即ち，前記対象キー（一の対象操作部の一例））について，前記特殊操作を受け付けないものであるか否かが判別される（Ｓ３）。即ち，前記キー割当情報に基づいて，前記特殊操作を受け付けない状態（以下，特殊操作非受付状態という（第１の状態の一例））であるか，それを受け付ける状態（以下，特殊操作受付可状態という（第２の状態の一例））であるかが判別される（状態判別手段の一例）。
ステップＳ３において，前記特殊操作非受付状態であると判別されると，前記マイコン５０により，前記対象キーが操作ＯＦＦ状態へ変化するのを待つことなく，所定のブザー音「ピッ」を前記ブザー３２を通じて出力（Ｓ４）させた上で，そのまま前記キー割当情報における前記ＯＮ操作に対応付けられている処理（ＯＮ操作時処理（第１の処理の一例））を実行させるよう各負荷１１〜１５や前記表示操作部４０等が制御される（Ｓ５，第１状態処理制御手段の一例）。また，その制御開始時に，必要に応じて，前記キー割当情報が，その処理を実行する状態に対応するものに更新設定される（Ｓ５）。前記ＯＮ操作時処理の終了後は，処理が前述のステップＳ２へ戻される。
【００１６】
一方，ステップＳ３において，前記特殊操作受付可状態であると判別されると，前記マイコン５０により，前記ＣＰＵ５１が内蔵するタイマーのスタート処理（Ｓ１１）がなされた後，そのタイマーにより前記長押し設定時間の経過が計時されるまで，前記対象キーについて，前記ＯＮ→ＯＦＦ操作が検知されるか否かが監視される（Ｓ１２，Ｓ１３）。
このステップＳ１２，Ｓ１３において，前記対象キーについて，前記ＯＮ→ＯＦＦ操作が検知される前に，即ち，前記操作ＯＮ状態から前記操作ＯＦＦ状態へ変化する前に，前記タイマーによる前記長押し設定時間が経過すると，前記マイコン５０により，それが前記特殊操作（長押し操作）であると検知され（Ｓ１３のＹ側，特殊操作検知手段の一例），ステップＳ４とは異なるブザー音「ピーッ」を前記ブザー３２を通じて出力（Ｓ１４）させた上で，前記キー割当情報における前記特殊操作に対応付けられている処理（特殊操作時処理（第３の処理の一例））を実行させるよう各負荷１１〜１５や前記表示操作部４０等が制御される（Ｓ１５，第２状態処理制御手段の一例）。また，その制御開始時に，必要に応じて，前記キー割当情報が，その処理を実行する状態に対応するものに更新設定される（Ｓ１５）。前記特殊操作時処理の終了後は，処理が前述のステップＳ２へ戻される。
【００１７】
一方，ステップＳ１２，１３において，前記対象キーについて，前記特殊操作が検知されないまま前記操作ＯＮ状態から前記操作ＯＦＦ状態へ変化したことが検知されると，前記マイコン５０により，それが前記ＯＮ→ＯＦＦ操作であると検知され（Ｓ１２のＹ側，ＯＮ・ＯＦＦ操作検知手段の一例），所定のブザー音「ピッ」を前記ブザー３２を通じて出力（Ｓ１６）させた上で，前記キー割当情報における前記ＯＮ→ＯＦＦ操作に対応付けられている処理（ＯＦＦ操作時処理（第２の処理の一例））を実行させるよう各負荷１１〜１５や前記表示操作部４０等が制御される（Ｓ１７，第２状態処理制御手段の一例）。また，その制御開始時に，必要に応じて，前記キー割当情報が，その処理を実行する状態に対応するものに更新設定される（Ｓ１７）。前記ＯＦＦ操作時処理の終了後は，処理が前述のステップＳ２へ戻される。
【００１８】
次に，図３のフローチャートによる処理手順に沿って，各処理内容の具体的な一例について，図３及び図２に示す前記表示操作部４０の外観図を用いて説明する。以下，前記工程選択キー４１ｋが前記対象キーである場合の一例について説明する。
例えば，通電直後の前記表示部４２の表示状態が，図２（ａ）に示すように，現在時刻の表示状態（以下，初期表示状態という）であるとする。
この初期表示状態において，ステップＳ１で設定された前記キー割当情報には，前記工程選択キー４１ｋについて，「ＯＮ操作」に対し，予め前記不揮発性メモリ６３に記憶された標準運転コースにおける各工程の動作時間を前記表示部４２に表示させる処理（以下，標準運転コースの表示処理という）が対応づけられ，「特殊操作」には処理が対応付けられていない前記特殊操作非受付状態であるものとする。
この初期表示状態において，前記工程選択キー４１ｋが操作されると（Ｓ２のＹ側），前記キー割当情報から前記特殊操作非受付状態であると判別されるので（Ｓ３のＮ側），前記操作ＯＦＦ状態への変化を待たずに，ブザー音「ピッ」が出力され（Ｓ４），さらに，前記標準運転コースの表示処理（ＯＮ操作時処理）がなされる（Ｓ５）。
図２（ｂ）は，前記標準運転コースの表示処理がなされたときの前記表示操作部４０の表示状態の一例を表す。前記表示部４２に７セグメントＬＥＤにより表示されている数値は，各工程の動作時間（分）を表す。
さらに，前記標準運転コースの表示処理の実行とともに，前記キー割当情報の更新がなされる（Ｓ５）。ここでは，前記キー割当情報が，前記工程選択キー４１ｋについて，「ＯＮ→ＯＦＦ操作」に対しては，前記実行工程（運転コース）の順次切り替え処理が，「特殊操作」に対しては，その時点で前記表示部４２に表示されている運転コースの内容（工程の組み合わせ及び各工程の動作時間）を前記不揮発性メモリ６３に更新記憶させる処理（以下，コース登録処理という）が対応付けられたものに更新される。
【００１９】
次に，図２（ａ）に示す前記標準運転コース等の運転コースの内容表示の状態において，前記工程選択キー４１ｋが操作されると（Ｓ２），この状態では，前記キー割当情報から前記前記特殊操作受付可状態であると判別されるので（Ｓ３のＹ側），タイマースタート処理（Ｓ１１）を経て，前記特殊操作（長押し操作）がなされるか否かの監視が行われる（Ｓ１２，Ｓ１３）。
ここで，前記工程選択キー４１ｋについて，その操作が検知され（Ｓ２），その操作キー（対象キー）について前記特殊操作（長押し操作）が検知される前に前記ＯＮ→ＯＦＦ操作が検知されると（Ｓ１２のＹ側），その検知ごとに，ブザー音「ピッ」が出力され（Ｓ１６），さらに，前記実行工程の順次切り替え処理（ＯＦＦ操作時処理）が実行される（Ｓ１７）。
例えば，前記工程選択キー４１ｋについて前記ＯＮ操作が検知されるごとに，「洗濯コース」→「洗濯・乾燥コース」→「乾燥コース」→「洗濯コース」…等の順でコース選択がなされ，選択された実行工程の内容が前記不揮発性メモリ６３から取得されてそれが前記表示部４２に表示される。なお，この場合は，前記キー割当情報の更新はなされない。
【００２０】
また，運転コースの内容の表示状態において，前記設定変更キー４１ｆ〜４１ｉについて，その操作が検知され（Ｓ２），その操作キー（対象キー）について前記特殊操作（長押し操作）が検知される前に前記ＯＮ→ＯＦＦ操作が検知されると（Ｓ１２のＹ側），その検知ごとに，ブザー音「ピッ」が出力され（Ｓ１６），さらに，その操作キーに対応する工程（洗い工程〜乾燥工程）の動作時間が１分ずつカウントアップ（上限時間の場合は最小時間にリセット）され，カウントアップ後の時間が前記表示部４２に表示（更新表示）される（Ｓ１７）。その動作時間の内容は，前記マイコン５０の前記ＲＡＭ５２に一時記憶される。
一方，前記工程選択キー４１ｋについて，前記ＯＮ→ＯＦＦ操作が検知される前に前記特殊操作（長押し操作）が検知されると（Ｓ１３のＹ側），ステップＳ４，Ｓ１６とは異なるブザー音「ピーッ」が出力され（Ｓ１４），さらに，前記コース登録処理が実行される（Ｓ１５）。即ち，その時点で前記表示部４２に表示されている運転コースの内容が，前記不揮発性メモリ６３に更新記憶される。この場合も，前記キー割当情報の更新はなされない。
なお，以上示した例は，説明の便宜のために設定した一例であって，各操作キーの割当内容や具体的な処理手順等は，これに限るものではない。
【００２１】
以上示したように，各操作キー（操作部）について，前記ＯＮ操作，前記ＯＮ→ＯＦＦ操作，前記特殊操作の各種操作パターンに応じて処理を制御することにより（Ｓ３→Ｓ４，Ｓ３→…Ｓ１３→Ｓ１４，Ｓ３→…Ｓ１２→Ｓ１６），少ない操作キーでより多種の処理の切り替えが可能となる。
前述の例では，前記工程選択キー４１ｋについては，前記初期表示状態では前記ＯＮ操作の検知に反応して，運転コースの内容の表示状態では前記ＯＮ→ＯＦＦ操作若しくは前記特殊操作のいずれかの検知に反応して各操作に応じた処理が実行される。
さらに，前記特殊操作を受け付けない状態（前記特殊操作非受付状態，Ｓ３のＮ側）においては，前記ＯＮ操作の検知に応じて（前記ＯＮ→ＯＦＦ変化を待たずに），対応する処理が実行される（Ｓ４）ので，操作に対する反応を状態に応じて極力早く示すことができる。
その結果，操作対象となった操作キー（前記対象キー）について，前記特殊操作に対応する処理が存在しない前記初期表示状態において，利用者がそれを知らずに前記工程選択キー４１ｋの長押し操作を行おうとしても，すぐにブザー音の出力（Ｓ４）及び表示内容の変更（Ｓ５）という反応が示されるので，利用者に思い違いをすぐに気付かせることができ，不審を抱かせるという事態を回避できる。
また，前記特殊操作の検知時（Ｓ１４）と，通常操作（前記ＯＮ操作及び前記ＯＮ→ＯＦＦ操作）の検知時（Ｓ４及びＳ１６）とで，操作検知時の報知音を変えるよう前記ブザー３２の制御がなされるので，操作が前記特殊操作として検知されたのか通常操作として検知されたのかを容易に識別できる。その結果，利用者に安心感，納得感を与えることができ，ユーザフレンドリーな操作環境を提供できる。
【００２２】
ところで，本洗濯機Ｘは，前記特殊操作（長押し操作）の検知における前記長押し設定時間（長操作設定時間の一例）を，前記操作キー４１の操作入力に従って設定可能とする長押し時間設定機能を備えている。以下，その具体例について説明する。
通電中の状態において，前記電源入／切キー４１ａについて長押し操作が検知されると（Ｓ２→Ｓ３→…Ｓ１３→Ｓ１４），前記マイコン５０により，前記不揮発性メモリ６３から現状の前記長押し設定時間が取得され，その時間が前記表示部４２に表示される。
図２（ｃ）は，前記長押し設定時間（２秒）の表示例「２  ＳＥＣ」を表す。そして，この表示状態において，前記すすぎキー４１ｇについて前記ＯＮ操作が検知されると，その検知ごとに，ブザー音「ピッ」が出力され（Ｓ４），さらに前記長押し設定時間が１秒ずつカウントアップ（上限時間（例えば，９秒）の場合は最小時間（例えば１秒）にリセット）され，カウントアップ後の時間が前記表示部４２に表示（更新表示）される（Ｓ５）。その更新後の長押し設定時間は，前記不揮発性メモリ６３に記憶され，以後，前記特殊操作を検知する際には，その更新後の長押し設定時間が用いられる。
これにより，利用者の操作感覚の許容範囲内で極力早い反応を示す前記長押し設定時間（短い時間）の設定が可能となる。
また，前記マイコン５０による前記長押し設定時間の設定処理の際，予め定められた下限時間（例えば１秒）以上の範囲に制限しつつ設定可能としているので，前記長押し設定時間が，操作キーの操作状況の変化を判別可能な最小周期以下に設定されたり，前記操作ＯＮ状態を検出する時間（例えば，０．２〜０．５秒程度）に近い或いはそれを下回る時間に設定されて，前記ＯＮ操作と前記特殊操作との識別が難しくなるといった事態を回避できる。
【００２３】
以上示した実施形態では，前記特殊操作の検知処理として，前記対象キーについて，前記操作ＯＮ状態のまま前記長押し設定時間が経過した際に前記特殊操作がなされたと検知する例について示したがこれに限るものではない。
例えば，前記マイコン５０により，前記対象キー（一の対象操作部）とこれに対応して予め定められた他の一又は複数の操作キー（操作部）とについて，同時に前記操作ＯＮ状態が生じた際に前記特殊操作がなされたと検知すること等も考えられる（同時操作検知手段の一例）。
例えば，前述の例において，前記コース登録処理に対応する前記特殊操作として，前記工程選択キー４１ｋが長押し操作されることを検知する代わりに，前記工程選択キー４１ｋと前記予約キー４１ｅとが同時に前記操作ＯＮ状態となることをもって前記特殊操作であると検知すること等が考えられる。或いは，長押し操作と同時押し操作との両方を前記特殊操作として検知し，その各検知結果に応じて異なる処理が実行されるよう構成したものも考えられる。
また，前述の実施形態では，前記特殊操作と通常操作（ＯＮ操作，ＯＮ→ＯＦＦ操作）とで，操作検知時の報知音を変える例について示したが，その他，いずれか一方の検知時にのみ報知音を出力させるよう制御しても，操作キーの検知状態を容易に識別でき，同様の作用効果が得られる。
【産業上の利用可能性】
【００２４】
本発明は，洗濯機への利用が可能である。
【図面の簡単な説明】
【００２５】
【図１】本発明の実施形態に係る洗濯機Ｘの主要部の概略構成を表すブロック図。
【図２】洗濯機Ｘの表示操作部の一例を表す外観図。
【図３】洗濯機Ｘにおける表示処理の手順を表すフローチャート。
【符号の説明】
【００２６】
Ｘ…洗濯機
１１〜１５…負荷
４０…表示操作部
４１…操作キー
４２…表示部
５０…マイクロコンピュータ（マイコン）
６０…制御回路
Ｓ１，Ｓ２，，，…処理手順（ステップ）
【図１】
2006288798.tif 000003
【図２】
2006288798.tif 000004
【図３】
2006288798.tif 000005